(57)【要約】      （修正有）【課題】フロートの浮力の調整を、容易且つ迅速に行うことができ、時化の直前の海上に浮かぶ船上でも容易かつ迅速に作業することができると共に、フロート周辺の網及びロープによる引っ掛かり障害がなく、定置網の損傷を防止することができる定置網用フロート、定置網及び定置網の使用方法を提供する。【解決手段】定置網用フロート３は、内部が空洞の殻からなるフロート本体と、このフロート本体の外面の一部に形成された凹部２４と、この凹部２４に殻の内部に連通するように形成された螺孔と、螺孔に螺合して螺孔を閉塞可能に、凹部に配置される蓋３０と、を有する。そして、フロート本体の凹部２４を除く外面を延長してこの凹部を包む仮想外面を想定したときに、蓋３０がこの仮想外面の中に収まるように、蓋３０及び凹部２４の形状及び大きさが設定されている。【選択図】図１
2018000098.tif 000002
【特許請求の範囲】
【請求項１】
内部が空洞の殻からなるフロート本体と、
このフロート本体の外面の一部に形成された凹部と、
この凹部に殻の内部に連通するように形成された螺孔と、
前記螺孔に螺合して前記螺孔を閉塞可能に、前記凹部に配置される蓋と、
を有し、
前記フロート本体の前記凹部を除く外面を延長して前記凹部を包む仮想外面を想定したときに、前記蓋が前記仮想外面の中に収まるように、前記蓋及び前記凹部の形状及び大きさが設定されていることを特徴とする定置網用フロート。
【請求項２】
請求項１に記載の定置網用フロートを使用した定置網において、
手網及び胴網を備え、
複数個の前記定置網用フロートにより支持されて、前記手網及び前記胴網が海中に保持されるものであって、
前記フロート本体が球状をなす球状殻からなる小型の定置網用フロートと、
前記フロート本体が円筒状の円筒殻と、その円筒殻の長手方向の両端部に設けられた半球状の半球殻とからなる大型の定置網用フロートと
を有することを特徴とする定置網。
【請求項３】
請求項２に記載の定置網の使用方法において、
時化が予想されるときに、
前記定置網用フロートの一部又は全部について、前記蓋を取り外して、前記フロート本体の螺孔を開放し、
時化が収まった後に，前記蓋を取り外したフロート本体から、海水を排出して、前記蓋を取着することを特徴とする定置網の使用方法。
【発明の詳細な説明】
【技術分野】
【０００１】
本発明は、時化時等の大きな波浪による被害を抑制することができる定置網用フロート、定置網及び定置網の使用方法に関する。
【背景技術】
【０００２】
日本の沿岸漁業の一つに定置網漁業がある。この定置網漁業は、日本の沿岸の特定の場所に固定的に設置された定置網を使用して魚を捕獲するものであり、特に有名なのは、富山湾と北海道の鮭定置網がある。
【０００３】
近年、低気圧又は台風の大型化に伴い、定置網が低気圧又は台風に起因する波浪により、多大の損失を被るようになってきた。この損失は、大型の定置網に多くみられる。大型の定置網は、時化のたびに簡単に陸揚げすることができないような複雑な構造を有しており、仮に、陸揚げが可能としても一部の限られた箇所にすぎない。よって、大型台風又は近年大型化している爆弾低気圧等による大時化の襲来により、大型の定置網の破損が拡大している。例えば、２０１５年秋の３回の大時化で、北海道全域の８０％の定置網が被害に遭い、多大の損失を被った。
【０００４】
そこで、近年は資材等の進歩で、波浪に耐えるような強固な資材構成にする等、多少の時化でも破損することがないような種々の工夫がなされている。また、比較的浅い場所の定置網は、簡単に陸揚げができるように工夫されたものが使用されている。
【０００５】
しかしながら、平均深さが４０ｍを超える深い位置に設置する定置網は、深さに応じて頑丈な網又はロープを使用することが必要であり、極めて大がかりな仕掛けになっている。このような大がかりな装置であるため、短時間での陸揚げ作業が困難である。陸揚げできない網の対応策として、上層にあるフロートを部分的に取り外して浮力を低下させることにより，波浪の影響を減少させることが行われている。これは、最も効果的な対策であるものの、時化が発生する前の僅かな時間でこのような作業をすることは困難であり、結局、多くの場合は、作業が完了する前に、大きな時化が生じてしまう。
【０００６】
また、製網会社又はその関係業界は、漁獲効率を高めるべく、潮流及び付着物等の研究を行っているものの、時化の波浪による影響及び破損しないための対策は，海底の形状等、各地の種々の条件の相違から、現地の漁業者が代々引き継がれた経験に基づいてなされているのが現状である。
【０００７】
浮沈式のフロートとしては、空気を圧入することにより浮力を調節するものがある。しかし、この種のフロートは、比較的大型のものが多く、小型のフロートを多数使用する定置網には、使用しにくいという問題点がある。
【０００８】
また、従来の浮力調整型フロートとして、内部を複数の仕切板によって複数の室に区画された中空構造のフロートであって、鏡板に近い胴部又は鏡板部で、フロート本体の相対称する位置に、２つ以上の水又は空気の出入口を設けて、フロート内に、水を排出又は注入することができるようにしたものが提案されている（特許文献１）。この特許文献１には、フロート内への水の導入量をコントロールすることにより、フロートの浮力を調整することができ、これにより、波力、波動による影響を極力避けるか、又は極力少なくする（波によって揺れ動かない）ことができることが記載されている。
【先行技術文献】
【特許文献】
【０００９】
【特許文献１】実開平５−５１０６６号公報
【発明の概要】
【発明が解決しようとする課題】
【００１０】
しかしながら、上述の特許文献１に記載された浮力調整型フロートは、２個以上の空気又は水の出入口を設けたものであるから、この出入口の突起物が、フロートに対する作業をしにくいものにしている。特に、この浮力の調整が、時化が発生したときに、海上で船上作業になるため、浮力調節のための作業が困難であると共に、定置網を取り囲む網又はロープが、突起物に引っ掛かり、作業性を阻害する要因となり、時化の最中であるにも拘わらず、作業時間が長くなり、結局、時化時の浮力調整が困難なものとなる。
【００１１】
本発明はかかる問題点に鑑みてなされたものであって、フロートの浮力の調整を、容易且つ迅速に行うことができ、時化の直前の海上に浮かぶ船上でも容易かつ迅速に作業することができると共に、フロート周辺の網及びロープによる引っ掛かり障害がなく、定置網の損傷を防止することができる定置網用フロート、定置網及び定置網の使用方法を提供することを目的とする。
【課題を解決するための手段】
【００１２】
本発明に係る定置網用フロートは、
内部が空洞の殻からなるフロート本体と、
このフロート本体の外面の一部に形成された凹部と、
この凹部に殻の内部に連通するように形成された螺孔と、
前記螺孔に螺合して前記螺孔を閉塞可能に、前記凹部に配置される蓋と、
を有し、
前記フロート本体の前記凹部を除く外面を延長して前記凹部を包む仮想外面を想定したときに、前記蓋が前記仮想外面の中に収まるように、前記蓋及び前記凹部の形状及び大きさが設定されていることを特徴とする。
【００１３】
本発明に係る定置網用フロートを使用した定置網は、
手網及び胴網を備え、
複数個の前記定置網用フロートにより支持されて、前記手網及び前記胴網が海中に保持されるものであって、
前記フロート本体が球状をなす球状殻からなる小型の定置網用フロートと、
前記フロート本体が円筒状の円筒殻と、その円筒殻の長手方向の両端部に設けられた半球状の半球殻とからなる大型の定置網用フロートと
を有することを特徴とする。
【００１４】
本発明に係る定置網の使用方法は、
時化が予想されるときに、
前記定置網用フロートの一部又は全部について、前記蓋を取り外して、前記フロート本体の螺孔を開放し、
時化が収まった後に，前記蓋を取り外したフロート本体から、海水を排出して、前記蓋を取着することを特徴とする。
【発明の効果】
【００１５】
本発明によれば、フロートの浮力調整を、フロートが海面に浮遊している状態のままで、作業することができ、時化前の僅かな時間でも迅速に浮力喪失作業を迅速に且つ容易に行うことができる。また、このフロート浮力調整作業を、網の吊り上げ機械が設置されていない小型の作業船でも簡単に行うことができる。そして、所定のフロートの蓋を外すことにより、波がフロートの上面をさらうだけで、このフロート内に海水を注入することができ、格別の注入作業が不要である。フロートの復旧作業は、ポンプでフロート内部の海水を排出し、蓋を取り付けるだけで良く、小型の作業船を使用し、小型の排水用ポンプがあれば、短時間で、容易に行うことができる。更に、蓋は仮想外面内に収まり、仮想外面からの突出物がないので、フロートの近傍に存在する網又はロープが引っ掛かるような障害と、この引っ掛かりによるフロート及び網又はロープの破損の虞がない。
【図面の簡単な説明】
【００１６】
【図１】蓋を装着した状態のフロート３を示す斜視図である。
【図２】同じく蓋を装着した状態のフロート３の斜視図である。
【図３】同じく蓋を装着した状態のフロート３の正面図である。
【図４】同じく蓋を装着した状態のフロート３の側面図である。
【図５】同じく蓋を装着した状態のフロート３の上面図である。
【図６】蓋を取り外した状態のフロート３を示す斜視図である。
【図７】同じく蓋を取り外した状態のフロート３の正面図である。
【図８】同じく蓋を取り外した状態のフロート３の側面図である。
【図９】蓋を装着した状態の大型のフロート１３を示す斜視図である。
【図１０】同じく蓋を装着した状態の大型のフロート１３の斜視図である。
【図１１】同じく蓋を装着した状態の大型のフロート１３の正面図である。
【図１２】同じく蓋を装着した状態の大型のフロート１３の側面図である。
【図１３】同じく蓋を装着した状態の大型のフロート１３の上面図である。
【図１４】蓋を取り外した状態の大型のフロート１３を示す斜視図である。
【図１５】同じく蓋を取り外した状態の大型のフロート１３を示す正面図である。
【図１６】同じく蓋を取り外した状態の大型のフロート１３を示す側面図である。
【図１７】定置網１の一例を示す斜視図である。
【図１８】同じくその平面図である。
【図１９】同じくその側面図である。
【図２０】同じくその正面図である。
【図２１】時化時の定置網の状態を示す側面図である。
【発明を実施するための形態】
【００１７】
以下、本発明の実施形態について、添付の図面を参照して具体的に説明する。図１７は一例としての定置網１を示す斜視図，図１８は平面図、図１９は側面図である。陸から沖に向けて延びるようにして、例えば３段にわたって、平面状の手網１ａ、１ｂ、１ｃが垂直に配置されている。各段の手網１ａ、１ｂ、１ｃの沖側の端部には、夫々胴網１１ａ、１１ｂ、１１ｃが設置されている。胴網１１ａ、１１ｂ、１１ｃは、上面と、側面における手網１ａ、１ｂ、１ｃの近傍の部分とが開口した箱状をなし、この箱の長手方向が手網１ａ、１ｂ、１ｃに対して垂直になるように配置されている。よって、手網１（１ａ、１ｂ、１ｃ）により、前進を阻止された魚は、胴網１１（１１ａ、１１ｂ、１１ｃ）の手網１側の開口部５から胴網１１内に入り、胴網１１内で捕獲される。
【００１８】
各手網１の上端は、のしといわれるロープ６に複数個のげんげといわれるロープ７で懸架されており、このロープ６は、小型のフロート３の浮力により海面に設置されている。そして、このロープ６の適所には、海底に載置される土俵といわれるウエイト２が、ロープ８を介して連結されている。これにより、手網１が波力により移動してしまうことが阻止されている。一方、各手網１の下端は、あしといわれるチェーン９が前記下端に沿って取り付けられており、このチェーン９がおもりとなって、手網１が波力に抗して垂直姿勢を保持して配置されるようになっている。
【００１９】
胴網１１は箱状をなすが、この箱の上端縁には、この胴網１１を取り囲むようにして、型といわれるロープ１２が矩形状に張り巡らされており、このロープ１２と胴網１１の上端縁との間は、ロープ１４により接続されていて、胴網１１がロープ１２により支持されるようになっている。そして、ロープ１２には、大型のフロート１３が取り付けられており、胴網１１の上端縁には、小型のフロート３が取り付けられていて、これらの大型のフロート１３及び小型のフロート３により、胴網１１が海上に浮遊するように支持されている。この胴網１１を支持するロープ１２には、その適所に、ロープ８を介して、海底に載置されるウエイト２が連結されており、ロープ１２を介して、胴網１１が波力により移動せずにその位置に保持されるようになっている。
【００２０】
次に、フロート３，１３について説明する。図１乃至図８は、小型のフロート３を示す図であり、図１乃至図５は、蓋を装着した状態を示す図、図６乃至図８は、蓋を取り外した状態を示す図である。図３及び図７は正面図、図４及び図８は側面図、図５は上面図であり、図１及び図２と図６は斜視図である。フロート３は、外形が全体的に球状をなし、内部が空洞の球殻２１（フロート本体）である。そして、この球殻２１の外面の一部に、フロート３をロープに取り付けるための１対の係止部２２が突出するように設けられており、この係止部２２には、ロープを係止するための孔２３が形成されている。そして、この係止部２２の反対側の球殻２１外面には、帯状の凹部２４が形成されている。この凹部２４の底面は平坦面であり、その略中央に、蓋３０が配置されている。即ち、凹部２４の平坦面の略中央に、螺孔３３が形成されており、蓋３０の蓋本体３１の下面に形成された螺部３４がこの螺孔３３に螺合するようになっている。蓋３０には、その蓋本体３１の上面に平板状の取手３２が形成されており、この取手３２を摘まんで蓋３０を回動させることにより、螺部３４の螺孔３３への螺合及び蓋３０の離脱を行うようになっている。このフロート３の球殻２１の外面は、凹部２３を除いて、球面であり、この球殻２１の中心を中心としてその半径をもつ球面を球面仮想面とすると、凹部２４に蓋３０を取着したときに、蓋３０の取手３２の上端が、この球面仮想面内に収まるように、蓋３０の形状及び大きさと凹部２４の球状及び大きさが定められている。この球面仮想面は、フロート本体としての球殻２１の凹部２４を除く外面を延長して凹部２４を包む仮想外面となる。
【００２１】
図９乃至図１６は、大型のフロート１３を示す図であり、図９乃至図１３は、蓋を装着した状態を示す図、図１４乃至図１６は、蓋を取り外した状態を示す図である。図１１及び図１５は正面図、図１２及び図１６は側面図、図１３は上面図であり、図９及び図１０と図１４は斜視図である。フロート１３は、外形が全体的に半球状をなし、内部が空洞の半球殻４１、４２と、内部が空洞の円筒殻４３とを、この円筒殻４３を間に挟んで、その両側に半球殻４１，４２を配置した形状（フロート本体）を有する。そして、円筒殻４３の長手方向の略中央に、横方向に延びる凹部４４が形成されており、この凹部４４の底面は平坦である。この凹部４４の略中央に蓋３０が設けられている。この蓋３０の蓋本体３１の下面の螺部３４が凹部４４に形成された螺孔３３に螺合するようになっており、蓋３０の蓋本体３１の上面に突出する取手３２を摘まんで、蓋３０を回動させることにより、蓋３０を螺孔３３に取着させ、また取り外すことができるようになっている。なお、フロート１３をロープに取着するための係止部２２と、係止用の孔２３が半球殻４１，４２の外面に設けられている。このフロート１３は、その円筒殻４３の外面が、凹部４４を除いて、円筒面であり、この円筒殻４３の中心を中心としてその半径をもつ円筒面を円筒面仮想面とすると、凹部４４に蓋３０を取着したときに、蓋３０の取手３２の上端が、この円筒面仮想面内に収まるように、蓋３０の形状及び大きさと凹部４４の形状及び大きさが定められている。この円筒面仮想面及びその両側の半球殻４１，４２の外面は、フロート本体としての円筒殻４３及びその両側の半球殻４１，４２の凹部４４を除く外面を延長して凹部４４４を包む仮想外面となる。
【００２２】
なお、フロート３，１３を構成する材質は、プラスチック等のように、金属以外の腐食により変質しないものを使用することが好ましい。
【００２３】
次に、上述のごとく構成された定置網用フロートの動作について説明する。フロート３，１３内は、空洞であり、蓋３０を取り付けることにより、フロート３，１３の内部は外気から密閉されている。なお、蓋３０の蓋本体３１の下面にパッキン等を設けて、螺孔３３と蓋本体３１との間を確実に遮蔽するようにしても良い。これにより、フロート３，１３は、海面に浮遊する。そこで、手網１は、その上端部が小型のフロート３により支持され、胴網１１は、その上端部が大型のフロート１３及び小型のフロート３により支持される。これにより、図１９に示すように、海面が平穏な場合には、陸から沖に向けて、１階から３階までの３段の手網１が海水中に張られ、魚が胴網１１内に捕獲される。
【００２４】
この定置網において、波浪が激しくなり、時化となった場合は、図２１に示すように、海面に浮遊するフロート３，１３が海面の波浪により大きなうねりを生じ、手網１及び胴網１１等の破壊が生じてしまう。これらのフロート３，１３は、網及び付着物の重み又は潮流で沈んでしまわないように、略均等な間隔で、例えば、１〜１．５ｍ間隔で取付けられている。また、大型のフロート１３は、ロープ１２が矩形に張り巡らされた状態の型の４隅部に３〜４個の割合で取り付けられている。波浪が大きくなると、これらのフロート３，１３と共に、手網１及び胴網１１が大きく持ち上げられ、許容の範囲を超えると、型及び手網１と海底のウエイト２とを連結するロープ８が切れたり、ウエイト２が引きずられたりする。やがて、定置網全体を区分して支持していた箇所が持ちこたえられなくなり、次々と、周辺のロープ６，７，８及び１２とウエイト２等が連鎖的に破損に至る。時化の大きさが同程度であっても、時化が長時間続くと、被害も大きくなり、定置網が流出してしまうこともある。
【００２５】
そこで、時化が予想された時点で、直ちに、海上の小型船等に乗船した作業者が、手網１及び胴網１１を懸架する例えば一部のフロート３及び１３の蓋３０を開放する。この場合に、蓋３０の取手３２を摘まんで蓋３０を回動させるだけで蓋３０を取り外すことができ、容易且つ迅速に蓋３０を取り外すことができる。また、図１等の図示例では、網に固定するための係止部２２の反対側に蓋３０が配置されているので、蓋３０は、上方を向いているため、船上からの蓋３０の取り外し作業が容易である。
【００２６】
そうすると、蓋３０を取り外したフロート３，１３は、その球殻２１等の内部に水が進入し、浮力を喪失する。この場合に、波が螺孔３３を通過するたびに、徐々に、海水が球殻２１等の内部に進入し、自動的に浮力を喪失するので、球殻２１等の内部への注水作業は不要である。このようにして、手網１及び胴網１１に多数取り付けられたフロート３，１３の一部又は相当数について、浮力を喪失させることにより、手網１及び胴網１１全体の浮力を調整することができる。これにより、フロート３，１３全体の浮力を調整し、手網１及び胴網１１の全部を、浮力が残存しているフロート３，１３と共に、海面下に隠すことができる。よって、時化による海面の上下動により、定置網の損傷を防止することができる。
【００２７】
時化が収まった後、蓋３０を取り外したフロート３，１３の内部から、ポンプ等により海水を排出し、再度、蓋３０を取り付けることにより、浮力を喪失させていたフロートの浮力を回復することができ、定置網としての機能を回復することができる。よって、従来のように、フロートを網から機械的に取り除いて、浮力を弱め、波浪の影響を軽電させる場合と異なり、本実施形態では、時化前の僅かな時間の海上作業でも、迅速に且つ容易に、相当数のフロート３，１３の浮力を喪失させることができる。特に、型の隅部に配置されている大型のフロートは強固に型に取り付けられており、従来のように、大型フロートを機械的に取り外そうとすると、極めて手間がかかる。しかし、本実施形態では、この大型フロート１３も、蓋３０を取り外すだけで、容易且つ迅速に浮力を喪失させることができる。しかも、これらの一端、浮力を喪失させたフロート３，１３も、内部に進入した海水をポンプ等で排出した後、蓋３０を取り付けるだけで、浮力を回復することができる。従って、定置網の復旧も迅速に行うことができる。
【００２８】
しかも、本実施形態では、フロート３，１３は、その蓋３０が、仮想外面（球面仮想面及び円筒面仮想面）の内部に収まっている。このため、フロート３，１３の近傍に存在する網又は細いロープが、蓋３０に引っ掛かることがない。また、フロート３，１３は、通常、ロープに係止された状態で、定置網の設置作業及び片付け作業が行われる。このような場合にも、蓋３０は仮想外面内に収まっているので、ロープ等のこすれ及び衝突により、蓋３０が破損することも防止することができる。なお、蓋３０には、取手３２が設けられているので、この取手３２を摘まむことにより、容易に蓋３０を回動させることができ、素手による作業又は簡便な工具による作業が可能である。
【００２９】
フロート３，１３を、蓋３０を含めて、プラスチック等の材料により製造することにより、金属材料を使用した場合の腐食が発生せず、耐久性が向上する。本実施形態では、時化発生直前に、迅速且つ容易にフロート３，１３の浮力を喪失させることができるので、フロート３，１３を小型化しても、多数設置することにより、通常時の手網１及び胴網１１の支持に必要な浮力を確保しつつ、時化時の浮力喪失を行うことができる。このため、フロートの製造コストをその小型化により低減することができる。
【００３０】
そして、フロート３，１３は、新たに蓋３０を設けるが、その仮想外面は、従来のフロートと同様の大きさ及び形状とすることができるので、使い勝手が良く、従来と同様の作業形態で定置網の設置作業をすることができる。
【符号の説明】
【００３１】
１、１ａ、１ｂ、１ｃ：手網
１１、１１ａ、１１ｂ、１１ｃ：胴網
２：フロート
３：フロート
５：開口部
６，７，８，１２：ロープ
１３：（大型の）フロート
２１：球殻
２２：係止部
２３：係止孔
２４：凹部
３０：蓋
３１：蓋本体
３２：取手
３３：螺孔
３４：螺部
４１、４２：半球殻
４３：円筒殻
４４：凹部
【図１】
2018000098.tif 000003
【図２】
2018000098.tif 000004
【図３】
2018000098.tif 000005
【図４】
2018000098.tif 000006
【図５】
2018000098.tif 000007
【図６】
2018000098.tif 000008
【図７】
2018000098.tif 000009
【図８】
2018000098.tif 000010
【図９】
2018000098.tif 000011
【図１０】
2018000098.tif 000012
【図１１】
2018000098.tif 000013
【図１２】
2018000098.tif 000014
【図１３】
2018000098.tif 000015
【図１４】
2018000098.tif 000016
【図１５】
2018000098.tif 000017
【図１６】
2018000098.tif 000018
【図１７】
2018000098.tif 000019
【図１８】
2018000098.tif 000020
【図１９】
2018000098.tif 000021
【図２０】
2018000098.tif 000022
【図２１】
2018000098.tif 000023